(57)【要約】【課題】本発明は、完成後のレゾルバの輪状巻線カバー部材を除去した場合でも、突出磁極のステータ巻線に傷を付けないようにすることである。【解決手段】本発明によるレゾルバステータのコイル保護構造及び方法は、突出磁極(2)の巻きこぼれ防止壁(11)の壁幅(W1)が磁極幅(W2)と同じかそれ以上とし、渡りピン(12)と巻きこぼれ防止壁(11)との間に、ニードルが通過するための有底スリットの幅を１〜２ミリとすることにより、ステータ巻線(6)の外部からの傷付き等を防止する構成と方法である。【選択図】図１
2017034870.tif 000002
【特許請求の範囲】
【請求項１】
所定角度間隔で内方へ向けて突出する複数の突出磁極(2)を有する輪状ステータ(1)と、前記輪状ステータ(1)の両端面(1A,1B)に一体又は別体にて形成され、輪状立上り壁(7)を有する輪状絶縁カバー部材(4)と、前記輪状絶縁カバー部材(4)に形成されると共に前記輪状立上り壁(7)よりも内側に位置し、前記各突出磁極(2)に対応する巻きこぼれ防止壁(11)と、前記輪状絶縁カバー部材(4)に形成され前記巻きこぼれ防止壁(11)に隣接して位置する渡りピン(12)と、前記各突出磁極(2)に前記輪状絶縁カバー部材(4)を介して巻回されたステータ巻線(6)と、を備え、
前記輪状ステータ(1)の周方向(C)における前記巻きこぼれ防止壁(11)と前記渡りピン(12)との間には、前記輪状ステータ(1)の軸方向(A)に沿って形成された有底スリット(100)が形成され、前記突出磁極(2)に巻回する前記ステータ巻線(6)は前記有底スリット(100)を介して前記渡りピン(12)に案内されるように構成したことを特徴とするレゾルバステータのコイル保護構造。
【請求項２】
前記巻きこぼれ防止壁(11)の前記周方向(C)に沿う壁幅(W1)は、前記突出磁極(2)の前記周方向(C)に沿う磁極幅(W2)と同一又はそれ以上であることを特徴とする請求項1記載のレゾルバステータのコイル保護構造。
【請求項３】
前記巻きこぼれ防止壁(11)、渡りピン(12)及び有底スリット(100)は、前記輪状絶縁カバー部材(4)と一体成形されていることを特徴とする請求項１又は２記載のレゾルバステータのコイル保護構造。
【請求項４】
前記有底スリット(100)のスリット幅(W3)は、前記ステータ巻線(6)を巻回するためのニードルが通過できるように１〜２ミリであることを特徴とする請求項１ないし３の何れかに記載のレゾルバステータのコイル保護構造。
【請求項５】
所定角度間隔で内方へ向けて突出する複数の突出磁極(2)を有する輪状ステータ(1)と、前記輪状ステータ(1)の両端面(1A,1B)に一体又は別体にて形成され、輪状立上り壁(7)を有する輪状絶縁カバー部材(4)と、前記輪状絶縁カバー部材(4)に形成されると共に前記輪状立上り壁(7)よりも内側に位置し、前記各突出磁極(2)に対応する巻きこぼれ防止壁(11)と、前記輪状絶縁カバー部材(4)に形成され前記巻きこぼれ防止壁(11)に隣接して位置する渡りピン(12)と、前記各用い、
前記輪状ステータ(1)の周方向(C)における前記巻きこぼれ防止壁(11)と前記渡りピン(12)との間には、前記輪状ステータ(1)の軸方向(A)に沿って形成された有底スリット(100)が形成され、前記突出磁極(2)に巻回する前記ステータ巻線(6)は前記有底スリット(100)を介して前記渡りピン(12)に案内されることを特徴とするレゾルバステータのコイル保護方法。
【請求項６】
前記巻きこぼれ防止壁(11)の前記周方向(C)に沿う壁幅(W1)は、前記突出磁極(2)の前記周方向(C)に沿う磁極幅(W2)と同一又はそれ以上であることを特徴とする請求項５記載のレゾルバステータのコイル保護方法。
【請求項７】
前記巻きこぼれ防止壁(11)、渡りピン(12)及び有底スリット(100)は、前記輪状絶縁カバー部材(4)と一体成形されていることを特徴とする請求項５又は６記載のレゾルバステータのコイル保護方法。
【請求項８】
前記有底スリット(100)のスリット幅(W3)は、前記ステータ巻線(6)を巻回するためのニードルが通過できるように１〜２ミリであることを特徴とする請求項５ないし７の何れかに記載のレゾルバステータのコイル保護方法。
【発明の詳細な説明】
【技術分野】
【０００１】
本発明は、レゾルバステータのコイル保護構造及び方法に関し、特に、巻きこぼれ防止壁と渡りピンとの間に有底スリットを形成し、この有底スリットを介してステータ巻線をガイドし、ステータ巻線の保護を行うための新規な改良に関する。
【背景技術】
【０００２】
従来、用いられていたこの種のレゾルバステータのコイル保護構造としては、例えば、特許文献１及び特許文献２等に開示されている構成を挙げることができるが、何れの構成においても、概略的には、図３で示すレゾルバステータが多く採用され、近年においては、図２で示される従来構成も採用されている。
【０００３】
図３において、符号１で示されるものは、積層形の鉄芯からなる輪状ステータであり、この輪状ステータ１の内壁１ａには、所定角度間隔毎に内方に向けて突出する複数の突出磁極２が形成されている。
前記内壁１ａの前記各突出磁極２間には、前記内壁１ａを凹状に除去してなるスロット３が形成されている。
【０００４】
輪状ステータ１の両端面１Ａ，１Ｂには、樹脂で形成され、一体又は別体よりなる輪状絶縁カバー部材４が設けられている。
前記輪状絶縁カバー部材４の内端には、前記輪状ステータ１の軸方向Ａに沿って延設された耳部５が形成され、各耳部５は、前記各突出磁極２の内面２ａと面一となるように構成されている。
【０００５】
前記各突出磁極２の外周には、前記輪状絶縁カバー部材４を介して、図示しない自動巻線機のニードルによってステータ巻線６が巻回されている。また、前記輪状絶縁カバー部材４の外周には、輪状立上り壁７が形成されている。
【０００６】
図２は、図３のレゾルバステータ構造の他の従来例を示すもので、図３の構成と異なる部分についてのみ説明し、同一部分には同一符号を付して説明は省略する。
すなわち、突出磁極２の基部１０（図３にも示すように突出磁極２に対応する後側で、かつ、前記輪状立上り壁７の内側位置）には、前記耳部５の高さよりも高くなるように軸方向Ａに沿って点線で囲むように巻きこぼれ防止壁１１が突出して形成されている。
前記各突出磁極２間には、前記輪状ステータ１の軸方向Ａに沿って突出する渡りピン１２が形成されている。
前述の輪状立上り壁７、巻きこぼれ防止壁１１、耳部５及び渡りピン１２は、前記輪状絶縁カバー部材４と一体で樹脂成形されている。
【先行技術文献】
【特許文献】
【０００７】
【特許文献１】特開２００８−９９５１９号公報
【特許文献２】米国特許第６，８３８，８０４Ｂ２
【発明の概要】
【発明が解決しようとする課題】
【０００８】
従来のレゾルバステータは、以上のように構成されていたため、次のような課題が存在していた。
すなわち、図３の従来構成においては、図３のように組立てられた輪状ステータ１の両端面１Ａ，１Ｂの各輪状立上り壁７をガイドとして、その内側に図示しない輪状巻線カバー部材を装着してユーザー側に納品するが、この納品前、又は、納品後において、前述の輪状巻線カバー部材を輪状ステータ１から取り除くことがあるが、取り除いた場合には、ステータ巻線６を人手か治具等で簡単に触れることができ、ステータ巻線６を傷付けたり、切断させたりする恐れがあった。
【０００９】
また、図２で示した輪状ステータ１の構成の場合、前記突出磁極２の基部１０側に設けた巻きこぼれ防止壁１１の壁幅が突出磁極２の幅よりも小（約３分の１）であるため、突出磁極２の外周に巻付けたステータ巻線６が左右にこぼれる恐れがあった。
また、渡りピン１２の両側と巻きこぼれ防止壁との間の空間が指等が入れるほどの空間であるため、指でステータ巻線６をさわることが可能であり、ステータ巻線６を傷める恐れがあった。
【００１０】
本発明は、以上のような課題を解決するためになされたもので、特に、巻きこぼれ防止壁と渡りピンとの間に有底スリットを形成し、この有底スリットを介してステータ巻線をガイドし、ステータ巻線の保護を行うようにしたレゾルバステータのコイル保護構造及び方法を提供することである。
【課題を解決するための手段】
【００１１】
本発明によるレゾルバステータのコイル保護構造は、所定角度間隔で内方へ向けて突出する複数の突出磁極を有する輪状ステータと、前記輪状ステータの両端面に一体又は別体にて形成され、輪状立上り壁を有する輪状絶縁カバー部材と、前記輪状絶縁カバー部材に形成されると共に前記輪状立上り壁よりも内側に位置し、前記各突出磁極に対応する巻きこぼれ防止壁と、前記輪状絶縁カバー部材に形成され前記巻きこぼれ防止壁に隣接して位置する渡りピンと、前記各突出磁極に前記輪状絶縁カバー部材を介して巻回されたステータ巻線と、を備え、前記輪状ステータの周方向における前記巻きこぼれ防止壁と前記渡りピンとの間には、前記輪状ステータの軸方向に沿って形成された有底スリットが形成され、前記突出磁極に巻回する前記ステータ巻線は前記有底スリットを介して前記渡りピンに案内されるようにした構成であり、また、前記巻きこぼれ防止壁の前記周方向に沿う壁幅は、前記突出磁極の前記周方向に沿う磁極幅と同一又はそれ以上である構成であり、また、前記巻きこぼれ防止壁、渡りピン及び有底スリットは、前記輪状絶縁カバー部材と一体成形されている構成であり、また、前記有底スリットのスリット幅は、前記ステータ巻線を巻回するためのニードルが通過できるように１〜２ミリである構成であり、また、本発明によるレゾルバステータのコイル保護方法は、所定角度間隔で内方へ向けて突出する複数の突出磁極を有する輪状ステータと、前記輪状ステータの両端面に一体又は別体にて形成され、輪状立上り壁を有する輪状絶縁カバー部材と、前記輪状絶縁カバー部材に形成されると共に前記輪状立上り壁よりも内側に位置し、前記各突出磁極に対応する巻きこぼれ防止壁と、前記輪状絶縁カバー部材に形成され前記巻きこぼれ防止壁に隣接して位置する渡りピンと、前記各突出磁極に前記輪状絶縁カバー部材を介して巻回されたステータ巻線と、を用い、前記輪状ステータの周方向(C)における前記巻きこぼれ防止壁と前記渡りピンとの間には、前記輪状ステータの軸方向(A)に沿って形成された有底スリットが形成され、前記突出磁極に巻回する前記ステータ巻線は前記有底スリットを介して前記渡りピンに案内される方法であり、また、前記巻きこぼれ防止壁の前記周方向に沿う壁幅は、前記突出磁極の前記周方向に沿う磁極幅と同一又はそれ以上である方法であり、また、前記巻きこぼれ防止壁、渡りピン及び有底スリットは、前記輪状絶縁カバー部材と一体成形されている方法であり、また、前記有底スリットのスリット幅は、前記ステータ巻線を巻回するためのニードルが通過できるように１〜２ミリである方法である。
【発明の効果】
【００１２】
本発明によるレゾルバステータのコイル保護構造及び方法は、以上のように構成されているため、次のような効果を得ることができる。
すなわち、所定角度間隔で内方へ向けて突出する複数の突出磁極を有する輪状ステータと、前記輪状ステータの両端面に一体又は別体にて形成され、輪状立上り壁を有する輪状絶縁カバー部材と、前記輪状絶縁カバー部材に形成されると共に前記輪状立上り壁よりも内側に位置し、前記各突出磁極に対応する巻きこぼれ防止壁と、前記輪状絶縁カバー部材に形成され前記巻きこぼれ防止壁に隣接して位置する渡りピンと、前記各突出磁極に前記輪状絶縁カバー部材を介して巻回されたステータ巻線と、を備え、前記輪状ステータの周方向における前記巻きこぼれ防止壁と前記渡りピンとの間には、前記輪状ステータの軸方向に沿って形成された有底スリットが形成され、前記突出磁極に巻回する前記ステータ巻線は前記有底スリットを介して前記渡りピンに案内されるように構成したことにより、ステータ巻線への工具及び作業者の接触が防止されることにより、輪状絶縁カバー部材を外すことが可能になり、輪状絶縁カバー部材の製品費及び固定工数が削減できるため、製品単価を削減することが可能になる。
また、前記巻きこぼれ防止壁の前記周方向に沿う壁幅は、前記突出磁極の前記周方向に沿う磁極幅と同一又はそれ以上であることにより、巻きこぼれ防止壁が磁極幅の端まで存在するため、巻き線量が多い場合に稀に発生する巻きこぼれ防止壁の左右にはみ出す形で発生するコイル形状の崩れを防止することができ、整列性を改善することができる。これによりレゾルバの精度を改善することができる。
また、前記巻きこぼれ防止壁、渡りピン及び有底スリットは、前記輪状絶縁カバー部材と一体成形されていることにより、樹脂成形によって所要の形状及び寸法を容易に製作することができる。
また、前記有底スリットのスリット幅は、前記ステータ巻線を巻回するためのニードルが通過できるように１〜２ミリであることにより、自動巻線機のニードルは通過できると共に、かつ、輪状巻線カバー部材を外した後における外部からのステータ巻線への接触を防止することができる。
【図面の簡単な説明】
【００１３】
【図１】本発明によるレゾルバステータのコイル保護構造及び方法の要部を示す拡大斜視図である。
【図２】従来のレゾルバステータのコイル保護構造の要部を示す拡大斜視図である。
【図３】従来のレゾルバステータの外観を示す斜視図である。
【発明を実施するための形態】
【００１４】
本発明によるレゾルバステータのコイル保護構造及び方法は、巻きこぼれ防止壁と渡りピンとの間に有底スリットを形成し、この有底スリットを介してステータ巻線をガイドし、ステータ巻線の保護を行うことである。
【実施例】
【００１５】
以下、図面と共に本発明によるレゾルバステータのコイル保護構造及び方法の好適な実施の形態について説明する。
尚、従来例と同一又は同等部分には、同一符号を用いて説明すると共に、図３の従来構成は、基本的に本発明と同一構成であるため、図３を本発明に援用するものとする。
図１において、符号１で示されるものは、その内壁１ａにおいて所定角度間隔毎に内方へ突出して形成された複数の突出磁極２を有する輪状ステータであり、前記輪状ステータ１の両端面１Ａ，１Ｂ及び内壁１ａには、一体又は別体にて形成された輪状絶縁カバー部材４によって覆われている。
【００１６】
前記輪状ステータ１の両端面１Ａ，１Ｂにおけるほぼ中央位置には、図３で明らかなように、軸方向Ａに沿って立上がる共に、輪状に形成された輪状立上り壁が前記輪状絶縁カバー部材４と一体に樹脂成形されている。
前記各突出磁極２の外周には、前記輪状絶縁カバー部材４と一体成形された一対の耳部５が位置し、前記輪状絶縁カバー部材４の前記耳部５と前記輪状立上り壁７との間の前記突出磁極２の基部１０に相当する位置には、点線で囲んで示すように、巻きこぼれ防止壁１１が軸方向Ａに沿って一体に形成されている。
【００１７】
前記巻きこぼれ防止壁１１の軸方向Ａに沿う高さは、前記耳部５よりも十分に高く、かつ、前記輪状立上り壁７よりも高く形成されている。
前記巻きこぼれ防止壁１１の周方向Ｃに沿う壁幅Ｗ１は、前記突出磁極２の磁極幅Ｗ２と同一か、又は、それ以上（すなわち、やや大）に構成され、前記輪状絶縁カバー部材４と一体の前記各巻きこぼれ防止壁１１,１１間には渡りピン１２が一体に形成され、前記渡りピン１２と前記各巻きこぼれ防止壁１１との間には、スリット幅Ｗ３の有底スリット１００が形成されている。
【００１８】
前記スリット幅Ｗ３の実際の幅は、１ミリから２ミリに形成され、前記突出磁極２に対して前記輪状絶縁カバー部材４を介してステータ巻線６を巻回する時の図示しない自動巻線機のニードルがマグネットワイヤを有して前記有底スリット１００内を通過できるように構成されている。
【００１９】
前記図１の左側に位置する突出磁極２の外周に各有底スリット１００を介して巻回されたステータ巻線６は、渡りピン１２の外側を経て再び有底スリット１００を経て、図１の右側に位置する突出磁極２の外周に巻回される。
前述の場合、前記各突出磁極２に巻回された前記ステータ巻線６の後部は、前述のように、従来構成よりも幅広の壁幅Ｗ１を有しているため、製品完成後に設けられた図示しない輪状絶縁カバー部材を輪状ステータ１から除去した後も、前記ステータ巻線６の両側が崩れることはなくなった。
【００２０】
また、前述のように、図２の従来構造の場合は、前記巻きこぼれ防止壁１１の壁幅Ｗ１が突出磁極２の磁極幅Ｗ２よりも大幅に小であるため、製品完成後に、輪状巻線カバー部材を除去すると、突出磁極２の両側が露出した状態となり、人手やツールで傷付くことがあったが、本発明による図１の構成においては、突出磁極２に巻回されたステータ巻線６の両側も前記巻きこぼれ防止壁１１が位置しているため、製品完成後に輪状巻線カバー部材を除去した後も、人手やツールでステータ巻線６が傷付けられたり、崩れを起こすこともない。
【００２１】
尚、本発明によるレゾルバステータのコイル保護構造及び方法の要旨とするところは、次の通りである。
すなわち、所定角度間隔で内方へ向けて突出する複数の突出磁極２を有する輪状ステータ１と、前記輪状ステータ１の両端面１Ａ,１Ｂに一体又は別体にて形成され、輪状立上り壁７を有する輪状絶縁カバー部材４と、前記輪状絶縁カバー部材４に形成されると共に前記輪状立上り壁７よりも内側に位置し、前記各突出磁極２に対応する巻きこぼれ防止壁１１と、前記輪状絶縁カバー部材４に形成され前記巻きこぼれ防止壁１１に隣接して位置する渡りピン１２と、前記各突出磁極２に前記輪状絶縁カバー部材４を介して巻回されたステータ巻線６と、を備え、前記輪状ステータ１の周方向Ｃにおける前記巻きこぼれ防止壁１１と前記渡りピン１２との間には、前記輪状ステータ１の軸方向Ａに沿って形成された有底スリット１００が形成され、前記突出磁極２に巻回する前記ステータ巻線６は前記有底スリット１００を介して前記渡りピン１２に案内されるようにした構成と方法であり、また、前記巻きこぼれ防止壁１１の前記周方向Ｃに沿う壁幅Ｗ１は、前記突出磁極２の前記周方向Ｃに沿う磁極幅Ｗ２と同一又はそれ以上である構成と方法であり、また、前記巻きこぼれ防止壁１１、渡りピン１２及び有底スリット１００は、前記輪状絶縁カバー部材４と一体成形されている構成と方法であり、また、記有底スリット１００のスリット幅Ｗ３は、前記ステータ巻線６を巻回するためのニードルが通過できるように１〜２ミリである構成と方法である。
【産業上の利用可能性】
【００２２】
本発明によるレゾルバステータのコイル保護構造及び方法は、突出磁極の外側の巻きこぼれ防止壁の壁幅が突出磁極の磁極幅と同一又はそれ以上とし、渡りピンと巻きこぼれ防止壁との間の有底スリットのスリット幅を１〜２ミリとすることにより、突出磁極に巻回したステータ巻線を保護することにより、レゾルバの信頼性を向上することができる。
【符号の説明】
【００２３】
１    輪状ステータ
１Ａ    端面
１Ｂ    端面
１ａ    内壁
２    突出磁極
３    スロット
４    輪状絶縁カバー部材
５    耳部
６    ステータ巻線
７    輪状立上り壁
１０    基部
１１    巻きこぼれ防止壁
１２    渡りピン
１００    有底スリット
Ａ    軸方向
Ｃ    周方向
Ｗ１    壁幅
Ｗ２    磁極幅
Ｗ３    スリット幅
Ｒ    半径方向
【図１】
2017034870.tif 000003
【図２】
2017034870.tif 000004
【図３】
2017034870.tif 000005